(57)【要約】      （修正有）【課題】美顔、痩身等のための本来の美容処理に相応して補助美容処理を実施でき、血行や新陳代謝を促進したり、ニキビの原因菌であるアクネ菌の殺菌を行うことのできる美容器を提供する。【解決手段】超音波による美容処理、イオンによる美容処理、タッピングによる美容処理、低周波電気刺激による美容処理の何れか一つまたはそれ等の組み合わせである美容器１であって、超音波振動体と、振動板側電極端子と、発光ダイオードと、スイッチ４と、を有する。光源の発光色は、青色、赤色の二種であり、少なくとも一部が透光性の樹脂材から形成され、光源が内部に配置されたヘッド部２と、超音波を出力する振動体及び振動板側電極端子を内部に有し、振動体の起動、振動板側電極端子の−極性または＋極性の選択、低周波電気の起動、及び光源の点灯のうち少なくとも１つを選択するスイッチ４を配置した把持可能なボディ部９と、を備える。【選択図】図１
0003217811.tif 000002
【実用新案登録請求の範囲】
【請求項１】
超音波による美容処理、イオンによる美容処理、タッピングによる美容処理、低周波電気刺激による美容処理の何ずれ一つまたはそれ等の組み合わせであることを特徴とする美容装置において、発光ダイオード（ＬＥＤ）の光源を有する美容器。
【請求項２】
前記光源の発光色は、青色、赤色の二種であり、少なくとも一部が透光性の樹脂材から形成され、１又は２以上の色層の光を発光する光源が内部に配置されたヘッド部と、前記ヘッド部を上端面に有し、超音波を出力する振動体及び振動板側電極端子を内部に有し、前記振動体の起動、振動板側電極端子の−極性または＋極性の選択、低周波電気の起動、及び前記光源の点灯のうち少なくとも１つを選択する１又は２以上のスイッチを配置した把持可能なボディ部と、を備える美容器。
【考案の詳細な説明】
【技術分野】
【０００１】この考案は、美容装置に関し、身体の特定の部位、特に顔面等の美容処理を行うため個人用に使用するのに適した小型美容装置に関する。本考案は、多機能のハンディタイプの美容器に関するものである。
【背景技術】
【０００２】痩身、美顔等のために行われる美容処理、所謂「トリートメント」には、種々のものがある。例えば、身体の所望部位に水を浸け超音波を印加して、老化した皮膚の角質を除去し、新しい皮膚に再生するためのウォーターピーリング美容処理、身体の微小領域に振動を印加して活性化を図る、タッピング美容処理、イオンを発生させ皮膚深層部に化粧品の有効成分を浸透させたり、肌のクレンジング（汚れ成分の除去）を行うイオン美容処理、低周波電気の刺激によって筋肉を収縮させ基礎代謝を上げるＥＭＳ美容処理、発光ダイオード（ＬＥＤ）を肌に当て、血行や新陳代謝を促進したり、ニキビの原因菌であるアクネ菌の殺菌を行う光美容処理等が知られている。【０００３】従来、人体の肌面に当接して振動を付与するもの、発光ダイオードを照射するもの等、様々な機能を発揮するハンディタイプの美容器が開発され、それぞれの用途に応じて活用されている。また、複数の機能を同時に又は選択的に発揮する美容器が求められている。例えば、超音波振動の付与、発光ダイオードの照射、及びマイナスイオンの付与の機能を選択的に、単独又は組み合わせて、用途に応じて使い分けることを可能とした美容器が開示されている。【０００４】また、超音波振動によって肌に刺激を与えて肌細胞を活性化させる機能と、光エネルギーの作用を付与する機能とを選択的に、単独又組み合わせて、用途に応じて使い分けることを可能とした美容器が開示されている。近年、肌（特に顔肌）の美容用として、ウォーターピーリング美容処理とイオン美容処理、タッピング美容処理を組み合わせた美容器が普及している。ウォーターピーリング美容処理は、老化した皮膚の角質を除去し、新しい皮膚に再生させるものであり、イオン美容処理は、皮膚深層部に化粧品の有効成分を浸透させたり肌のクレンジング（汚れ成分の除去）を行うものであり、タッピング美容処理は身体の微小領域に振動を印加して活性化を図るものである。【０００５】又、ウォーターピーリングによる美容と発光ダイオードの照射による美容とを同じ箇所に同時に行うことで、特にニキビの予防、改善効果が期待できる。【０００６】しかしながら、現在普及している複合美容器には、ウォーターピーリング美容処理と発光ダイオードの照射による美容処理を、同じ箇所に対して同時に行えるものがなかった。
【考案の概要】
【考案が解決しようとする課題】
【０００７】それ故、この考案の課題は、上に述べた本来の美容処理に相応して補助美容処理を実施できる美容装置を提供することにある。美容器を使用する本人が美容器を肌に当接するだけで、光エネルギーの作用を同じ箇所に対し同時に付与する機能を含む多機能を選択的に施す美容器を提供することを目的とする。１台の美容器で、ウォーターピーリングによる美容と、発光ダイオード（ＬＥＤ）による美容の両機能による美容を同じ箇所に対し同時に行わせることができる発光ダイオード（ＬＥＤ）機能付きウォーターピーリング美容器を提供する。
【課題を解決するための手段】
【０００８】上記の課題は、この考案により、老化した皮膚の角質を除去し、新しい皮膚に再生するためのウォーターピーリング美容処理のための本来の美容処理を実施する第一装置部分と、血行や新陳代謝を促進したり、ニキビの原因菌であるアクネ菌の殺菌等の補助美容処理を実施する第二装置部分とから成る美容装置にあって、前記補助美容処理のため、一つまたそれ以上の発光色を選択的に放出できる照明装置とを備えていることによって解決されている。【０００９】本考案に係る美容器は、少なくとも一部が透光性の樹脂材から形成され、１又は２以上の色層の光を発光する光源が内部に配置されたヘッド部と、超音波を出力させる振動体及び振動板側電極端子を内部に有し、前記振動体の起動、振動板側電極端子の−極性または＋極性の選択、低周波電気の起動、及び前記光源の点灯のうち少なくとも１つを選択する１又は２以上のスイッチを配置した把持可能なボディ部と、を備える美容器である。１台の美容器であっても、単にスイッチ操作のみで、ウォーターピーリング機能と、発光ダイオード（ＬＥＤ）機能を同じ箇所に同時に使用することができる。【００１０】本考案に係る美容器は、ヘッド部の一部にスイッチに接続する導電体からなる導電材が配置されている美容器である。【００１１】本考案に係る美容器の光源は、青色光を発する第１の光源と赤色光を発する第２の光源とを含む、美容器である。【００１２】青色の光は、ニキビの原因であるアクネ菌を死滅させ、皮脂腺から出る過剰な皮脂の分泌を抑制し、ニキビを鎮静化させるとともに、ニキビのできにくい肌をつくる効果がある。また、赤色の光は、筋肉層まで到達する波長の光であり、コラーゲンとエラスチン生成を促進し、細胞を増殖させることで肌に弾力が生まれ、シワの改善などのアンチエイジング効果がある。【００１３】本考案に係る美容器の光源は、ＬＥＤである、美容器である。
【考案の効果】
【００１４】以上、説明したように、この考案による美容装置を用いると、内部に設けてある補助美容処理部により、本来の美容処理を実施している時に、光エネルギーの作用が同時に加わり、本来の美容処理の効果を一層高めることができる。本願考案の発光ダイオード（ＬＥＤ）機能付きウォーターピーリング美容器では、１台の美容器であっても、単にスイッチ操作のみで、ウォーターピーリング機能と、発光ダイオード（ＬＥＤ）機能を同じ箇所に対し同時に使用することができ、使い勝手のよい発光ダイオード（ＬＥＤ）機能付きウォーターピーリング美容器を提供できるという効果がある。
【図面の簡単な説明】
【００１５】
【図１】第１の実施形態に係る美容器の構成を示す正面図である。
【図２】美容器のヘッド部に蓋が被せられた状態を示す斜視図である。
【図３】第２の実施形態に係る美容器の構成を示す斜視図である。
【図４】美容器の充電用コネクタ部分を示す底面図である。
【図５】美容器の使用例を示す説明図である。
【考案を実施するための形態】
【００１６】この考案による美容装置には、本来の美容処理部と、この美容処理を補助する美容処理部とが装備されている。前者は、例えば超音波による美容処理、イオンによる美容処理、タッピングによる美容処理、低周波電気刺激による美容処理等を行うためにある。これに反して、後者は、本来の美容処理を行っている間にこの美容処理をより一層効果的にするために適した発色（通常、赤色、青色の光の放出）を行う。
図１に、第１の実施形態に係る美容器の構成を示し、ボディ部９及びヘッド部２からなる。
【００１７】ボディ部９は、中央に液晶部３を有し、下部にスイッチ４が配置されている。
【００１８】ヘッド部２は、超音波、イオン導入、タッピング、低周波電気を出力させる振動体である。
【００１９】美容器１のボディ部９に設けられたスイッチ部４には、超音波、イオン導入、タッピング、低周波電気、発光ダイオード（ＬＥＤ）機能が割り当てられている。なお、この各スイッチ部４への機能の割り当ては、一例であって、必要とする機能に応じて任意に機能の割り当てを行えばよい。
【００２０】スイッチ部４を押し選択された機能は、液晶部３によっていつでも確認することができる。
【００２１】次に、図５を用いて本考案に係る美容器１の使用方法を説明する。図５は美容器１を実際に顔に当てている状況を説明する説明図である。
【００２２】使用者は、最初にスイッチ部４を押し、必要とする機能（超音波、イオン導入、タッピング、低周波電気、発光ダイオード（ＬＥＤ）機能の単独又は組み合わせ）を選択したあと、図５に示すように、美容処理を施したい部位（たとえば顔）に水（または化粧水）を浸け、美容器のボディ部９を手Ｃで握って、ヘッド部２の超音波振動体を顔Ｂの対象部位に当て、美容器を動作Ｄのように移動させる。
【００２３】スイッチ部４で選択した機能がたとえば超音波と発光ダイオードの組み合わせの場合、ヘッド部２の超音波振動により、顔Ｂに浸けた水はミスト状Ｅになり、老化した皮膚の角質を除去することができる。また、それと同時に発光ダイオード光源部７から照射された青色または赤色の光により、光美容処理が行われる。
【符号の説明】１…美容器
２…ヘッド部
３…液晶部
４…スイッチ部
５…導電材
６…ヘッド蓋
７…発光ダイオード光源部（青色または赤色）
８…充電用コネクタ孔
９…ボディ部
Ａ…ＬＥＤ光源
Ｂ…顔
Ｃ…手
Ｄ…動作
Ｅ…ミスト状になった水
【図１】
0003217811.tif 000003
【図２】
0003217811.tif 000004
【図３】
0003217811.tif 000005
【図４】
0003217811.tif 000006
【図５】
0003217811.tif 000007
【手続補正書】
【提出日】平成30年4月4日(2018.4.4)
【手続補正１】
【補正対象書類名】実用新案登録請求の範囲
【補正対象項目名】全文
【補正方法】変更
【補正の内容】
【実用新案登録請求の範囲】
【請求項１】
超音波による美容処理、イオンによる美容処理、タッピングによる美容処理、低周波電気刺激による美容処理の何ずれ一つまたはそれ等の組み合わせであることを特徴とする美容装置において、超音波振動体と、振動板側電極端子と、発光ダイオードと、スイッチと、を有することを特徴とする美容器。
【請求項２】
前記光源の発光色は、青色、赤色の二種であり、少なくとも一部が透光性の樹脂材から形成され、１又は２以上の色層の光を発光する光源が内部に配置されたヘッド部と、前記ヘッド部を上端面に有し、超音波を出力する振動体及び振動板側電極端子を内部に有し、前記振動体の起動、振動板側電極端子の−極性または＋極性の選択、低周波電気の起動、及び前記光源の点灯のうち少なくとも１つを選択する１又は２以上のスイッチを配置した把持可能なボディ部と、を備える請求項１記載の美容器。
【手続補正書】
【提出日】平成30年5月29日(2018.5.29)
【手続補正１】
【補正対象書類名】実用新案登録請求の範囲
【補正対象項目名】全文
【補正方法】変更
【補正の内容】
【実用新案登録請求の範囲】
【請求項１】
少なくとも一部が透光性の樹脂材から形成され、１又は２以上の色層の光を発光する光源が内部に配置されたヘッド部と、前記ヘッド部を上端面に有し、超音波を出力する振動体及び振動板側電極端子を内部に有し、前記振動体の起動、振動板側電極端子の−極性または＋極性の選択、低周波電気の起動、及び前記光源の点灯のうち少なくとも１つを選択する１又は２以上のスイッチを配置した把持可能なボディ部と、を備える美容器。
【請求項２】
前記光源は、ＬＥＤである、請求項１に記載の美容器。